(57)【要約】【課題】コークス炉の炭化室内のコークス塊にラム先端のラムヘッドを押し当ててコークス塊を炭化室から押し出す際に、コークス塊に振動を加えながら押し出すことができるコークス押し出し装置として、コークス塊に振動を加えるための加振機とラムを駆動させるためのラム駆動装置等との衝突を回避することができる適切な構造を有したコークス押し出し装置を提供する。【解決手段】ラムヘッド２２の加振板２２ｂを振動させるための加振機（エアハンマ）３０が、加振板２２ｂの後面に近接して配置されている。【選択図】図１
2008007531.tif 000002
【特許請求の範囲】
【請求項１】
コークス炉の炭化室内のコークス塊にラム先端のラムヘッドを押し当ててコークス塊を炭化室から押し出す際に、コークス塊に振動を加えながら押し出すことができるコークス押し出し装置であって、ラムヘッドの押し当て面の少なくとも一部が振動可能な加振部となっており、該加振部を振動させるための加振機を当該加振部の後方に近接して備えていることを特徴とするコークス押し出し装置。
【請求項２】
前記加振装置は、圧縮空気を動力源にして加振部を振動させる加振機であることを特徴とする請求項１に記載のコークス押し出し装置。
【請求項３】
前記加振装置は、エアシリンダ室を有するハンマ本体と、該エアシリンダ室内に配置されるピストンと、前記エアシリンダ室に圧縮空気を供給して前記ピストンを前後に往復運動させる給気手段と、前記ハンマ本体の前端部において前方に突出して保持されるとともに該ピストンの往復運動により打撃されて前後に進退するハンマ部とを備えたエアハンマであることを特徴とする請求項２に記載のコークス押し出し装置。
【請求項４】
前記ハンマ本体は、ラムヘッドに内蔵されていることを特徴とする請求項３に記載のコークス押し出し装置。
【請求項５】
前記ハンマ部は、前記加振部と連結していることを特徴とする請求項３または４に記載のコークス押し出し装置。
【請求項６】
ラムヘッドがコークス塊に押し当てられていない時は、バネの付勢力によってハンマ部がピストンに打撃されない位置に移動し、ラムヘッドがコークス塊に押し当てられている時は、コークス塊からの反力によってハンマ部がピストンで打撃される位置に移動することを特徴とする請求項３〜５のいずれかに記載のコークス押し出し装置。
【発明の詳細な説明】
【技術分野】
【０００１】
本発明は、コークス炉において、生成されたコークスを炭化室から押し出すためのコークス押し出し装置に関し、特に、押し出し負荷を低減して、炭化室の炉壁（側壁）の損傷を軽減し、炉壁の延命化を図ることができるコークス押し出し装置に関するものである。なお、本発明では、特に断らない限り、コークス炉は、室炉式コークス炉のことを言う。室炉式コークス炉は、炉体の下部に蓄熱室があり、その上部に燃焼室と炭化室とが交互に配列されている。
【背景技術】
【０００２】
コークス炉において、炭化室内で石炭を乾留して生成されたコークス（コークス塊）を押し出し装置を用いて炭化室から押し出す際に、炭化室内でコークスの押し詰りを起こし、その結果、押し出し負荷が増大して、炭化室の炉壁に大きな力が作用し、炉壁を損傷することがある。押し詰りが激しい場合には、炉壁を破壊したり、あるいは押し出し装置で押し出すことができず炉の温度を下げてから、人力でコークスを掻き出したりする。このため、炉壁の補修費が増大するとか、炉の停止による生産量の低減を余儀なくされるなどの問題を抱えている。
【０００３】
それに対して、押し出し負荷を低減し、炉壁の損傷を防止するための技術として、以下のようなものが提案されている。
【０００４】
例えば、コークス炉の炭化室の炉底レンガを補修する際に、乾燥粉コークスを炭化室に入れ、乾燥粉コークスが炉底レンガ表面の凹部を埋めて平坦にすることによって、コークス押し出し時におけるコークス塊と炉底間の摩擦を低減する方法が提案されている（例えば、特許文献１参照。）。
【０００５】
また、原料石炭を炭化室内へ装入するに先立ち、粒状（５ｍｍ以下）の耐火材料（グラファイトやＳｉ３Ｎ４など）を傾斜付きの炉底に敷き詰めておき、コークス押し出し時におけるコークス塊と炉底間の摩擦を低減して、結果として炉壁損傷を防ぐという技術も提案されている（例えば、特許文献２参照。）。
【０００６】
また、特許文献３には、水平シャベルを上下に振動させて、炭化室内のコークスをバケット内に崩落させて、コークスを搬出する装置が開示されている。
【０００７】
なお、［発明が解決しようとする課題］の欄において、本出願人の未公開先行出願について説明するが、その出願番号をここに記載しておく。すなわち、特願２００５−３７７３１２号（未公開出願１）である。
【特許文献１】特開昭５９−１８７０８２号公報
【特許文献２】特開平８−１２０２７８号公報
【特許文献３】ソビエト連邦特許第９８１３４０号明細書
【発明の開示】
【発明が解決しようとする課題】
【０００８】
しかしながら、前記の特許文献１、２に記載されている技術では、十分な押し出し負荷低減には結びつかない。
【０００９】
すなわち、前記の特許文献１、２に記載されている技術は、いずれも、コークス塊と炭化室炉底との摩擦力低減を図ろうとするものであるが、コークスの押し詰りの発生及び押し出し負荷の増大の主原因は、コークス塊と炭化室炉底との摩擦力ではなく、押し出し装置を用いてコークス塊の押し出しを行なう際に、押し出し装置のラムヘッドで押されたコークス塊が変形・崩壊して、押し出し方向と直交する水平方向にひろがることにより、コークス塊と炭化室炉壁との摩擦力が増すことにあるからである。
【００１０】
また、特許文献３に記載の技術は、本願が対象としている押し出し装置を使用せずに、バケットに取り付けられた水平シャベルを上下に振動させて、炭化室内のコークスをバケット内に崩落させて、バケットで炉内にあるコークスを何度もすくい出すもので、押し出し装置を用いるコークス炉に比べて、コークスの搬出作業に多くの時間を要する。
【００１１】
そこで、上記の問題を解決するために、出願人は、前記非公開出願１において、炭化室内のコークス塊に振動を付与しながら押し出すことによって、的確に押し出し負荷を低減して、炭化室の炉壁の損傷を軽減することができるコークス押し出し方法およびコークス押し出し装置を提案している。
【００１２】
図４は、前記非公開出願１において提案しているコークス押し出し装置の一例を示す側面図であり、図５は、そのコークス押し出し装置の斜視図である。
【００１３】
図４、図５中、１５が前記非公開出願１において一例として示したコークス押し出し装置であり、ラムロッド２１とラムヘッド２２からなる押し出しラム２０と、押し出しラム駆動装置（図示せず）を備えているとともに、炭化室１内のコークス塊２に押し当てられるラムヘッド２２の押し当て面が、上下方向に、上部押し当て面２２ａ、中間押し当て面２２ｂ、下部押し当て面２２ｃの３個の押し当て面に分割されていて、その内の中間押し当て面（加振板）２２ｂを加振ロッド２９を介して押し出し方向に振動させるための加振機（加振モータまたは油圧加振機等）２８がラムロッド２１に取り付けられている。
【００１４】
そして、上記のように構成されたコークス押し出し装置１５を用いて、加振機２８で中間押し当て面（加振板）２２ｂを押し出し方向に振動させて、コークス塊２に振動を付与しながら、ラムヘッド２２を前進させることによって、コークス塊２と炭化室１の炉壁との間の摩擦が静摩擦から動摩擦に変化して、摩擦係数が低下し、それによって押し出し負荷が低減する。その結果、炉壁の損傷を抑止することができる。
【００１５】
ただし、図４、図５に示したコークス押し出し装置においては、加振機２８が高温の状態下にある炭化室１内に進入すると熱損傷を受けてしまうことや、室炉式コークス炉では炉幅が４００ｍｍ程度と狭いことを考慮して、加振機２８をラムロッド２１後方の炭化室１に入らない部分に取り付け、加振板２２ｂに加振ロッド２９を介して振動を伝えるようにしているが、それを一般的に使用されているコークス押し出し装置に適用した場合、以下のような問題がある。
【００１６】
まず、一般的に使用されているコークス押し出し装置の構造を以下に述べる。
【００１７】
一般的に使用されているコークス押し出し装置には、図６と図７に示すような２つの方式があり、図６に示すコークス押し出し装置５１は、ラムロッド２１が最初から一直線になっている方式であり、図７に示すコークス押し出し装置５２は、ラムロッド２１の後端が折れ曲がっていて、ラムロッド２１の進行するにしたがって、折れ曲がり部２１ｂが水平方向に倒れて水平部２１ａと一直線になる方式である。ちなみに、図６に示した直線状ラムロッドを用いる方式の方が構造はシンプルになるが、図７に示した折れ曲がりラムロッドを用いる方式の方が設置スペースは少なくてすむことから主流となっている。
【００１８】
そして、いずれの方式のコークス押し出し装置５１、５２においても、図６、図７に示すように、ラム２０が、ラムロッド２１と、ラムロッド２１の先端に取り付けられたラムヘッド２２と、の上面全長に取り付けられたラック２３を有しているとともに、ラムヘッド２２の後方近傍にラムロッド２１を跨ぐようにラム駆動装置２４が設置されており、ラムロッド２１上面のラック２３とラム駆動装置２４のピニオン２４ａによるラック−ピニオン方式の駆動機構によって、ラム２０を炭化室１に押し込むようになっている。なお、図６、図７中の２６は、ラム２０を支持するためにラムロッド２１に取り付けられて一緒に移動するラムシューであり、２７は、通過するラムロッド２１を支持案内するためのガイドローラである。
【００１９】
したがって、上記のようなコークス押し出し装置５１、５２に対応して、図４、図５に示したコークス押し出し装置を適用した場合、ラム２０が前進していくと加振機２８がラム駆動装置２４あるいは炭化室１の炉壁に衝突して、押し出し作業の中断や設備破損の可能性がある。それを避けるためには、ラムロッド２１を長くして、押し出しが終了するまでラム駆動装置２４等に衝突しない位置に加振機２８を取り付ければよいが、ラムロッド２１を長くすると設備コストがかかる。しかも、折れ曲がりラムロッド方式のコークス押し出し装置５２は、折れ曲がり部２１ｂには加振機２８を取り付けられないことから、その分だけラム駆動装置２４と加振機２８との距離が短くならざるを得ないので、ラム駆動装置２４等に衝突しない位置に加振機２８を取り付けるためには、ラムロッド２１の水平部２１ａをより一層長くする必要がある上に、そもそも折れ曲がりラムロッド方式を採用しているのは設置スペースの制約等からであり、ラムロッド２１を長くすることは困難である。
【００２０】
また、図４、図５に示したように、加振機２８をラムロッド２１の下面に取り付けた場合は、加振機２８とガイドローラ２７が衝突する可能性があるので、ラムロッド２１の支持案内方法を変更する必要がでてくる。例えば、加振機２８が移動する範囲のガイドローラをラムロッド２１と一緒に移動するラムシュータイプに変更するとか、その範囲にはガイドローラを配置しないとかであるが、そのための設備費用がかかる。
【００２１】
本発明は、このような事情に鑑みてなされたものであり、コークス炉の炭化室内のコークス塊にラム先端のラムヘッドを押し当ててコークス塊を炭化室から押し出す際に、コークス塊に振動を加えながら押し出すことができるコークス押し出し装置として、コークス塊に振動を加えるための加振機とラムを駆動させるためのラム駆動装置等との衝突を回避することができる適切な構造を有したコークス押し出し装置を提供することを目的とするものである。
【課題を解決するための手段】
【００２２】
前記課題を解決するために、本発明者らは鋭意検討を行なった結果、図４、図５に示したコークス押し出し装置では、加振機をラムロッドの後端に取り付け、加振ロッドを介してラムヘッドの加振部に接続するようにしているのに対して、加振機をラムヘッドの加振部に近接して配置すれば、ラム駆動装置等との衝突が起こり得ないとの考えに至った。
【００２３】
上記の考えに基づいて、本発明は以下のような特徴を有している。
【００２４】
［１］コークス炉の炭化室内のコークス塊にラム先端のラムヘッドを押し当ててコークス塊を炭化室から押し出す際に、コークス塊に振動を加えながら押し出すことができるコークス押し出し装置であって、ラムヘッドの押し当て面の少なくとも一部が振動可能な加振部となっており、該加振部を振動させるための加振機を当該加振部の後方に近接して備えていることを特徴とするコークス押し出し装置。
【００２５】
［２］前記加振装置は、圧縮空気を動力源にして加振部を振動させる加振機であることを特徴とする前記［１］に記載のコークス押し出し装置。
【００２６】
［３］前記加振装置は、エアシリンダ室を有するハンマ本体と、該エアシリンダ室内に配置されるピストンと、前記エアシリンダ室に圧縮空気を供給して前記ピストンを前後に往復運動させる給気手段と、前記ハンマ本体の前端部において前方に突出して保持されるとともに該ピストンの往復運動により打撃されて前後に進退するハンマ部とを備えたエアハンマであることを特徴とする前記［２］に記載のコークス押し出し装置。
【００２７】
［４］前記ハンマ本体は、ラムヘッドに内蔵されていることを特徴とする前記［３］に記載のコークス押し出し装置。
【００２８】
［５］前記ハンマ部は、前記加振部と連結していることを特徴とする前記［３］または［４］に記載のコークス押し出し装置。
【００２９】
［６］ラムヘッドがコークス塊に押し当てられていない時は、バネの付勢力によってハンマ部がピストンに打撃されない位置に移動し、ラムヘッドがコークス塊に押し当てられている時は、コークス塊からの反力によってハンマ部がピストンで打撃される位置に移動することを特徴とする前記［３］〜［５］のいずれかに記載のコークス押し出し装置。
【００３０】
なお、本発明で言うコークス塊は、炭化室内にあるコークス全体のことを言い、コークス同士が、固着したブロック状のコークス塊だけを意味するものではない。コークスは、冷却過程で、ひび割れるが、押し出し過程で、コークス同士が、お互いに密に接触し、コークス全体に振動を伝えることができるので、コークスが固着したブロック状である必要はない。
【発明の効果】
【００３１】
本発明のコークス押し出し装置は、炭化室内のコークス塊にラムヘッドを押し当ててコークス塊に振動を加えながら押し出すことができるコークス押し出し装置であって、コークス塊に振動を加えるための加振機とラムを駆動させるためのラム駆動装置等との衝突を回避することができる適切な構造を有しているので、押し出し作業の中断や設備破損を防止しながら、的確に押し出し負荷を低減させることができる。その結果、炉壁の損傷を抑止することができるとともに、押し詰りによる操業遅延が回避され、生産性をあげることが可能となる。
【発明を実施するための最良の形態】
【００３２】
本発明の一実施形態を図面に基づいて説明する。なお、ここでは、折れ曲がりラムロッド方式のコークス押し出し装置に適用した場合について説明するが、直線状ラムロッド方式のコークス押し出し装置に適用する場合も同様である。
【００３３】
図１は、本発明の一実施形態に係るコークス押し出し装置を説明するための側面図である。
【００３４】
図１に示すように、この実施形態に係るコークス押し出し装置１１は、図７に示したものと同様に、ラム２０が、ラムロッド２１と、ラムロッド２１の先端に取り付けられたラムヘッド２２と、ラムロッド２１の上面全長に取り付けられたラック２３を有しているとともに、ラムヘッド２２の後方近傍にラムロッド２１を跨ぐようにラム駆動装置２４が設置されており、ラムロッド２１上面のラック２３とラム駆動装置２４のピニオン２４ａによるラック−ピニオン方式の駆動機構によって、ラム２０を炭化室１に押し込むようになっている。なお、図１中の２６は、ラム２０を支持するためにラムロッド２１に取り付けられて一緒に移動するラムシューであり、２７は、通過するラムロッド２１を支持案内するためのガイドローラである。
【００３５】
そして、このコークス押し出し装置１１では、炭化室１内のコークス塊２に押し当てられるラムヘッド２２の押し当て面が、上下方向に３個の押し当て面に分割されていて、その内の中間押し当て面２２ｂが加振部（加振板）となっており、その加振板２２ｂを振動させるための加振機としてのエアハンマ３０が、加振板２２ｂの後面に近接して配置されている。
【００３６】
ちなみに、エアハンマは、作業対象物を叩打することによって所定の作業（例えば、壁面の被覆物の剥離作業や岩盤の破砕作業）を行なうための装置として用いられており、通常、ハンマ本体のエアシリンダ室内に配置されているピストンを圧縮空気によって前後に往復運動させ、ハンマ本体の前方に突出して保持されているハンマ部（ビットともいう）をピストンの往復運動により打撃して前後に進退させるようになっている。
【００３７】
このようなエアハンマ３０がこのコークス押し出し装置１１に配置されている状態を図２、図３に基づいて詳しく述べる。なお、図２は図１の部分詳細図であり、図３は図２の部分詳細図である。
【００３８】
図２、図３に示すように、エアハンマ３０は、エアシリンダ室３２を有するハンマ本体３１と、エアシリンダ室３２内に配置されるピストン３３と、エアシリンダ室３３に圧縮空気を供給してピストン３３を前後に往復運動させる圧縮空気供給配管３７と、ハンマ本体３１の前端部において前方に突出して保持されるとともにピストン３３の往復運動により後端を打撃されて前後に進退するハンマ部３４を備えている。
【００３９】
そして、ここでは、ハンマ部３４の先端が加振板２２ｂの後面に連結しており、ハンマ部３４と加振板２２ｂが一体となって前後に往復運動するようになっている。
【００４０】
そして、図２に示すように、ハンマ本体３１はラムヘッド２２内に冷却用囲い４０で囲まれて設置されており、ハンマ本体３１のエアシリンダ室３２に圧縮空気を供給する圧縮空気供給配管３７と、冷却用囲い４０に冷却空気を供給する冷却空気供給配管４１が、内部が中空のボックス構造であるラムロッド２１の内部に敷設されている。なお、冷却空気は圧縮空気と共通にしてもよい。
【００４１】
さらに、ここでは、図３に示すように、ハンマ部３４を前方に付勢するようなバネ３５がハンマ本体３１に取り付けられており、図３（ａ）に示すように、ラムヘッド２２ｂがコークス塊に押し当てられていない時は、バネ３５の付勢力によってハンマ部３４がピストン３３に打撃されない位置に移動し、図３（ｂ）に示すように、ラムヘッド２２をコークス塊に押し当てられている時は、コークス塊からの反力Ｐによってハンマ部３４がピストン３３で打撃される位置に移動するようになっている。
【００４２】
これによって、加振板２２ｂを無駄に振動させることが回避される。なお、バネ３５はハンマ本体３１と加振板２２ｂの間に取り付けるようにしてもよい。
【００４３】
上記のように構成されたコークス押し出し装置１１においては、ラムヘッド２２を炭化室１内のコークス塊２に押し当て、エアハンマ３０によって加振板２２ｂを押し出し方向に振動させて、コークス塊２に振動を加えながら、ラムヘッド２２を前進させることにより、コークス塊２と炭化室炉壁との間の摩擦が静摩擦から動摩擦に変化して、摩擦係数が低下し、それによって押し出し負荷が低減する。
【００４４】
その上、エアハンマ３０のハンマ本体３１がラムヘッド２２に内蔵されているとともに、圧縮空気供給配管３７と冷却空気供給配管４１がラムロッド２１の内部に敷設されているので、エアハンマ３０がラム駆動装置２４やガイドローラ２７および炭化室１に衝突することもない。
【００４５】
なお、上記の実施形態においては、ラムヘッド２２の押し当て面の一部が加振部（加振板）になっていたが、ラムヘッド２２の押し当て面の全面を加振部（加振板）としてもよいことはいうまでもない。
【図面の簡単な説明】
【００４６】
【図１】本発明の一実施形態に係るコークス押し出し装置の側面図である。
【図２】図１の部分拡大図である。
【図３】図２の部分拡大図である。
【図４】特願２００５−３７７３１２号において一例として示したコークス押し出し装置の側面図である。
【図５】特願２００５−３７７３１２号において一例として示したコークス押し出し装置の斜視図である。
【図６】直線状ラムロッド方式のコークス押し出し装置の説明図である。
【図７】折れ曲がりラムロッド方式のコークス押し出し装置の説明図である。
【符号の説明】
【００４７】
１  コークス炉の炭化室
２  コークス塊
１１  コークス押し出し装置
１５  コークス押し出し装置
２０  ラム
２１  ラムロッド
２１ａ  ラムロッド水平部
２１ｂ  ラムロッド折れ曲がり部
２２  ラムヘッド
２２ａ  上部押し当て面
２２ｂ  中間押し当て面（加振板）
２２ｃ  下部押し当て面
２３  ラック
２４  ラム駆動装置
２４ａ  ピニオン
２６  ラムシュー
２７  ガイドローラ
３０  エアハンマ
３１  ハンマ本体
３２  エアシリンダ室
３３  ピストン
３４  ハンマ部
３５  バネ
３７  圧縮空気供給配管
４０  冷却用囲い
４１  冷却空気供給配管
５１  直線状ラムロッド方式のコークス押し出し装置
５２  折れ曲がりラムロッド方式のコークス押し出し装置
【図１】
2008007531.tif 000003
【図２】
2008007531.tif 000004
【図３】
2008007531.tif 000005
【図４】
2008007531.tif 000006
【図５】
2008007531.tif 000007
【図６】
2008007531.tif 000008
【図７】
2008007531.tif 000009